(57)【要約】  コンテンツの再生／制作方法及び装置に係り、該クライアントがコンテンツを再生する方法は、コンテンツに挿入できる広告についての情報を参照してコンテンツに挿入する広告を選択し、メディアサーバから受信したコンテンツに選択された広告を挿入して再生することによって、コンテンツを再生するクライアントが自分の選択によってコンテンツに挿入される広告を動的に構成できて、コンテンツユーザーが能動的に自分が視聴する広告を選択できる。
2010534371.tif 000002
【特許請求の範囲】
【請求項１】
クライアントがコンテンツを再生する方法において、
前記コンテンツに挿入できる広告についての情報を参照して、前記コンテンツに挿入する広告を選択するステップと、
前記コンテンツをメディアサーバから受信し、前記受信されたコンテンツに前記選択された広告を挿入して再生するステップと、を含むことを特徴とするコンテンツ再生方法。
【請求項２】
前記広告を選択するステップは、
前記コンテンツに挿入できる広告についての情報を伝送することを広告サーバに要請するステップと、
前記要請に対する応答として、前記コンテンツに挿入できる広告についての情報を受信するステップと、
前記受信された情報に基づいて、前記コンテンツに挿入する広告を選択するステップと、を含むことを特徴とする請求項１に記載のコンテンツ再生方法。
【請求項３】
前記受信された情報に基づいて前記コンテンツに挿入する広告を選択するステップは、
前記広告により広告される製品の種類、または広告に登場する主人公、または前記広告により広告される会社のうちいずれか一つのカテゴリーを選択するステップを含むことを特徴とする請求項２に記載のコンテンツ再生方法。
【請求項４】
前記再生するステップは、
前記コンテンツをメディアサーバに要請し、それに対する応答として、前記コンテンツを受信するステップと、
前記選択されたカテゴリーの広告を前記広告サーバに要請し、それに対する応答として前記選択されたカテゴリーの広告を前記広告サーバから受信するステップと、
前記メディアサーバから受信したコンテンツに、前記広告サーバから受信した前記選択されたカテゴリーの広告を挿入して再生するステップと、を含むことを特徴とする請求項３に記載のコンテンツ再生方法。
【請求項５】
前記広告サーバは、
前記クライアントが選択したカテゴリーを、前記クライアントの関心広告として登録することを特徴とする請求項４に記載のコンテンツ再生方法。
【請求項６】
前記メディアサーバから受信したコンテンツに、前記広告サーバから受信した前記選択されたカテゴリーの広告を挿入して再生するステップは、
前記選択したカテゴリーと類似したカテゴリーの広告も挿入して再生するステップを含むことを特徴とする請求項４に記載のコンテンツ再生方法。
【請求項７】
前記選択されたカテゴリーの広告を前記広告サーバから受信するステップは、
前記選択されたカテゴリーの広告についての付加情報を前記広告サーバから受信するステップをさらに含むことを特徴とする請求項４に記載のコンテンツ再生方法。
【請求項８】
前記メディアサーバから受信したコンテンツに、前記広告サーバから受信した前記選択されたカテゴリーの広告を挿入して再生するステップは、
前記コンテンツの再生が終了した後、前記選択されたカテゴリーの広告を別途に再生し、前記付加情報を前記クライアントのユーザーに提供するステップをさらに含むことを特徴とする請求項７に記載のコンテンツ再生方法。
【請求項９】
コンテンツを再生するクライアント装置において、
前記コンテンツに挿入できる広告についての情報を参照して、前記コンテンツに挿入する広告を選択する広告インターフェースと、
前記コンテンツをメディアサーバから受信するコンテンツインターフェースと、
前記受信されたコンテンツに前記選択された広告を挿入して再生する再生部と、を備えることを特徴とするクライアント装置。
【請求項１０】
前記広告インターフェースは、
前記コンテンツに挿入できる広告についての情報を伝送することを前記広告サーバに要請し、前記要請に対する応答として、前記コンテンツに挿入できる広告についての情報を受信し、前記受信された情報に基づいて前記コンテンツに挿入する広告を選択することを特徴とする請求項９に記載のクライアント装置。
【請求項１１】
前記広告インターフェースは、
前記広告により広告される製品の種類、または広告に登場する主人公、または前記広告により広告される会社のうちいずれか一つのカテゴリーを選択することを特徴とする請求項１０に記載のクライアント装置。
【請求項１２】
前記再生部は、
前記コンテンツインターフェースが前記コンテンツを前記メディアサーバに要請し、要請に対する応答として、受信した前記コンテンツに前記広告インターフェースで選択されたカテゴリーの広告を挿入して再生することを特徴とする請求項１１に記載のクライアント装置。
【請求項１３】
前記再生部は、
前記選択したカテゴリーと類似したカテゴリーの広告も、前記コンテンツに挿入して再生することを特徴とする請求項１２に記載のクライアント装置。
【請求項１４】
前記広告インターフェースは、
前記選択されたカテゴリーの広告についての付加情報も前記広告サーバから受信し、
前記再生部は、
前記コンテンツの再生が終了した後、前記選択されたカテゴリーの広告を別途に再生し、前記付加情報を前記クライアントのユーザーに提供することを特徴とする請求項１２に記載のクライアント装置。
【請求項１５】
第１クライアントが第２クライアントに提供されるコンテンツを制作する方法において、
前記第２クライアントに提供されるコンテンツに挿入できる広告についての情報を受信するステップと、
前記受信した情報に基づいて、前記コンテンツに挿入される広告を選択するステップと、
前記第２クライアントが前記コンテンツに前記選択された広告を挿入して再生できるように、前記選択された広告についての情報及び前記コンテンツを伝送するステップと、を含むことを特徴とするコンテンツ制作方法。
【請求項１６】
前記広告についての情報を受信するステップは、
前記コンテンツに挿入できる広告についての情報を保有している広告サーバから、前記広告についての情報を受信するステップを含むことを特徴とする請求項１５に記載のコンテンツ制作方法。
【請求項１７】
第２クライアントが、第１クライアントが制作したコンテンツを再生する方法において、
前記コンテンツの伝送要請を、前記コンテンツを提供するメディアサーバに伝送するステップと、
前記コンテンツをメディアサーバから受信し、前記受信されたコンテンツに前記第１クライアントが選択した広告を挿入して再生するステップと、を含むことを特徴とするコンテンツ再生方法。
【請求項１８】
前記第１クライアントは、前記コンテンツに挿入する広告についての情報を広告サーバから受信し、前記受信された情報に基づいて前記コンテンツに挿入する広告を選択することを特徴とする請求項１５に記載のコンテンツ再生方法。
【請求項１９】
第２クライアントに提供されるコンテンツを制作する第１クライアント装置において、
前記第２クライアントに提供されるコンテンツに挿入できる広告についての情報を受信し、前記受信した情報に基づいて前記コンテンツに挿入される広告を選択し、前記選択された広告についての情報を伝送する広告インターフェースと、
前記第２クライアントが前記選択された広告についての情報を参照して再生できるように、前記コンテンツを伝送するコンテンツインターフェースと、を備えることを特徴とするクライアント装置。
【請求項２０】
第１クライアントが制作したコンテンツを再生する第２クライアント装置において、
前記コンテンツの伝送要請を、前記コンテンツを提供するメディアサーバに伝送し、前記要請に対する応答として、前記コンテンツを前記メディアサーバから受信するコンテンツインターフェースと、
前記受信されたコンテンツに、前記第１クライアントが選択した広告を挿入して再生する再生部と、を備えることを特徴とするクライアント装置。
【請求項２１】
請求項１に記載の方法を実行させるためのプログラムを記録したコンピュータで読み取り可能な記録媒体。
【請求項２２】
請求項１５に記載の方法を実行させるためのプログラムを記録したコンピュータで読み取り可能な記録媒体。
【請求項２３】
請求項１７に記載の方法を実行させるためのプログラムを記録したコンピュータで読み取り可能な記録媒体。
【発明の詳細な説明】
【技術分野】
【０００１】
本発明は、コンテンツの再生／制作方法及び装置に係り、さらに詳細には、所定の広告をコンテンツユーザーまたはコンテンツ制作者の選択によって動的にコンテンツに挿入できるコンテンツの再生／制作方法及び装置に関する。
【背景技術】
【０００２】
有無線ネットワークの発展につれて映像、音楽などのメディアコンテンツの制作と使用が増加しつつある。特に、ＵＣＣ（Ｕｓｅｒ  Ｃｒｅａｔｅ  Ｃｏｎｔｅｎｔｓ）文化が大衆に広く広がることによって、コンテンツを直接制作する主体が多様になっている。コンテンツ提供者が提供するメディアコンテンツを受動的に消費するだけであったユーザーが能動的に直接コンテンツを制作しているのである。
【０００３】
コンテンツ提供者またはサービス提供者は、有無線ネットワークを通じてメディアコンテンツを配布する時、自分が選択した広告をコンテンツに付加する。図１を参照して詳細に説明する。
【０００４】
図１は、従来技術による広告を挿入してコンテンツを配布する方法を説明するためのフローチャートである。図１を参照するに、ステップ１３２で、クライアント１２０は、メディアサーバ１１０に所定のコンテンツを伝送することを要請する。個人ユーザーがコンピュータクライアントを通じてメディアサーバ１１０に、自分の所望のメディアコンテンツの伝送を要請する。
【０００５】
ステップ１３４で、クライアント１２０のメディアコンテンツの伝送要請を受信したメディアサーバ１１０は、要請されたメディアコンテンツに所定の広告を挿入する。次いで、ステップ１３６で、クライアント１１０に所定の広告が挿入されたメディアコンテンツを伝送する。
【０００６】
図１に示したように、ステップ１３４で、コンテンツに挿入される広告は、メディアサーバ１１０を運営するコンテンツ提供者またはサービス提供者の選択によって決定される。コンテンツ提供者またはサービス提供者が広告料を支払う広告主の広告を、配布されるコンテンツに挿入する広告として選択すれば、クライアント１２０は、メディアサーバ１１０が広告を挿入して伝送するコンテンツに挿入された広告を受動的に再生するだけである。
【０００７】
ＵＣＣの制作者は、一般的に個人ユーザーである場合が多い。したがって、ＵＣＣの所有権は個人ユーザーにある場合が多い。もし、図１に示したように、メディアサーバ１１０がコンテンツに挿入される広告を選択すれば、個人ユーザーが制作したコンテンツを利用して、メディアサーバ１１０の運営主体であるコンテンツ提供者またはサービス提供者が広告料を持っていってしまうことになってフェアではない。
【発明の概要】
【発明が解決しようとする課題】
【０００８】
本発明が解決しようとする技術的課題は、コンテンツを再生／制作するに当って、コンテンツに挿入される広告をコンテンツユーザーまたはコンテンツ制作者が能動的に選択できるコンテンツ再生／制作方法及び装置を提供するところにあり、前記方法を実行させるためのプログラムを記録したコンピュータで読み取り可能な記録媒体を提供するところにある。
【課題を解決するための手段】
【０００９】
前記技術的課題を解決するための本発明による、クライアントがコンテンツを再生する方法は、前記コンテンツに挿入できる広告についての情報を参照して、前記コンテンツに挿入する広告を選択するステップと、前記コンテンツをメディアサーバから受信し、前記受信されたコンテンツに前記選択された広告を挿入して再生するステップと、を含む。
【００１０】
本発明によるさらに望ましい実施形態によれば、前記広告を選択するステップは、前記コンテンツに挿入できる広告についての情報を伝送することを広告サーバに要請するステップと、前記要請に対する応答として、前記コンテンツに挿入できる広告についての情報を受信するステップと、前記受信された情報に基づいて、前記コンテンツに挿入する広告を選択するステップと、を含む。
【００１１】
前記技術的課題を解決するための本発明によるコンテンツを再生するクライアント装置は、前記コンテンツに挿入できる広告についての情報を参照して、前記コンテンツに挿入する広告を選択する広告インターフェースと、前記コンテンツをメディアサーバから受信するコンテンツインターフェースと、前記受信されたコンテンツに前記選択された広告を挿入して再生する再生部と、を備える。
【００１２】
前記技術的課題を解決するための本発明による、第１クライアントによって第２クライアントに提供されるコンテンツを制作する方法は、前記第２クライアントに提供されるコンテンツに挿入できる広告についての情報を受信するステップと、前記受信した情報に基づいて前記コンテンツに挿入される広告を選択するステップと、前記第２クライアントが前記コンテンツに前記選択された広告を挿入して再生できるように、前記選択された広告についての情報及び前記コンテンツを伝送するステップと、を含む。
【００１３】
本発明によるさらに望ましい実施形態によれば、前記広告についての情報を受信するステップは、前記コンテンツに挿入できる広告についての情報を保有している広告サーバから、前記広告についての情報を受信するステップを含む。
【００１４】
前記技術的課題を解決するための本発明による、第２クライアントが、第１クライアントが制作したコンテンツを再生する方法は、前記コンテンツの伝送要請を、前記コンテンツを提供するメディアサーバに伝送するステップと、前記コンテンツをメディアサーバから受信し、前記受信されたコンテンツに前記第１クライアントが選択した広告を挿入して再生するステップと、を含む。
【００１５】
前記技術的課題を解決するための本発明による、第２クライアントに提供されるコンテンツを制作する第１クライアント装置は、前記第２クライアントに提供されるコンテンツに挿入できる広告についての情報を受信し、前記受信した情報に基づいて前記コンテンツに挿入される広告を選択し、前記選択された広告についての情報を伝送する広告インターフェースと、前記第２クライアントが前記選択された広告についての情報を参照して再生できるように、前記コンテンツを伝送するコンテンツインターフェースと、を備える。
【００１６】
前記技術的課題を解決するための本発明による、第１クライアントが制作したコンテンツを再生する第２クライアント装置は、前記コンテンツの伝送要請を、前記コンテンツを提供するメディアサーバに伝送し、前記要請に対する応答として、前記コンテンツを前記メディアサーバから受信するコンテンツインターフェースと、前記受信されたコンテンツに、前記第１クライアントが選択した広告を挿入して再生する再生部と、を備える。
【００１７】
前記技術的課題を解決するために本発明は、前記コンテンツの再生／制作方法を実行させるためのプログラムを記録したコンピュータで読み取り可能な記録媒体を提供する。
【発明の効果】
【００１８】
本発明によれば、コンテンツを視聴するコンテンツユーザーが、自分の所望する広告を挿入してコンテンツを再生できるようになって、さらに多様な広告ビジネスの創出が可能になる。また、コンテンツ制作者が直接自分のコンテンツに挿入される広告を決定できて、真のコンテンツ所有者が広告収益を持つようになる。
【図面の簡単な説明】
【００１９】
【図１】従来技術による、広告を挿入してコンテンツを配布する方法を説明するためのフローチャートである。
【図２】本発明の一実施形態によるコンテンツの再生方法を説明するためのフローチャートである。
【図３】本発明の一実施形態によるコンテンツを再生するクライアントを示したブロック図である。
【図４】本発明の一実施形態によるコンテンツの制作方法を説明するためのフローチャートである。
【図５】本発明の一実施形態による広告のマッピング情報を示す図である。
【図６】本発明の一実施形態によるコンテンツを制作するクライアント及びコンテンツを再生するクライアントを示したブロック図である。
【発明を実施するための最良の形態】
【００２０】
以下、図面を参照して本発明の望ましい実施形態を詳細に説明する。
【００２１】
図２は、本発明の一実施形態によるコンテンツの再生方法を説明するためのフローチャートである。図２は、コンテンツユーザーがクライアント２２０を利用して、メディアサーバ２１０のメディアコンテンツを再生する場合について示す。以下、本明細書では、広告サーバとメディアサーバとが分離されて存在する場合を仮定して、本発明によるコンテンツ再生／制作方法及び装置を説明する。しかし、当業者ならば、広告サーバの機能とメディアサーバの機能とが一つのサーバにより行われうるということは容易に理解できる。
【００２２】
図２を参照するに、ステップ２４２ないし２４６は、クライアント２２０が再生するコンテンツに挿入できる広告についての情報を参照して、コンテンツ再生時にコンテンツに挿入する広告を選択するステップである。
【００２３】
ステップ２４２で、クライアント２２０は、広告サーバ２３０に自分が再生するコンテンツに挿入できる広告についての情報を要請する。広告サーバ２３０が保有している広告ライブラリーについての情報を要請できる。
【００２４】
ステップ２４４で、クライアント２２０は、ステップ２４２の要請に対する応答として、広告サーバ２３０が伝送する広告についての情報を受信する。コンテンツに挿入できる広告についての情報を受信する。
【００２５】
ステップ２４６で、クライアント２２０は、ステップ２４４で受信した情報に基づいて、自分が再生するコンテンツに挿入する広告を選択する。広告ライブラリーに含まれた広告のうち、コンテンツに挿入する広告を直接指定する方式で選択できる。コンテンツに挿入する広告を直接指定せず、コンテンツに挿入しようとする広告のカテゴリーのみ指定してもよい。
【００２６】
広告される製品の種類または広告に出演する芸能人、または広告される会社などのカテゴリーを指定できる。例えば、クライアント２２０がＡ芸能人が出る広告をコンテンツに挿入しようとすれば、Ａ芸能人カテゴリーを指定し、自動車を広告する広告をコンテンツに挿入しようとすれば、自動車カテゴリーを指定できる。
【００２７】
広告サーバ２３０は、クライアント２２０が所定の広告または所定のカテゴリーを選択すれば、選択された広告またはカテゴリーをクライアント２２０の関心広告またはカテゴリーに設定し、関心広告またはカテゴリーについての情報を保存する方法でクライアント２２０についての情報を管理するようにしてもよい。
【００２８】
ステップ２４８で、クライアント２２０は、再生するコンテンツの伝送をメディアサーバ２１０に要請し、要請に対する応答としてコンテンツを受信する。同様に、ステップ２５０で、クライアント２２０は、再生するコンテンツに挿入する広告の伝送を広告サーバ２３０に要請し、要請に対する応答として広告を受信する。メディアコンテンツがリアルタイムで伝送されるストリーミングの場合には、メディアサーバ２１０と広告サーバ２２と０が互いにデータを交換して、クライアント２２０が適当なタイミングでメディアコンテンツと広告とを交互に受信可能にする。この時、メディアサーバ２１０と広告サーバ２２０とが交換するデータには、コンテンツのメタデータ及び選択された広告についてのメタデータが含まれうる。
【００２９】
また、ステップ２５０で、クライアント２２０が再生しようとするコンテンツに挿入する広告を受信する時、受信する広告についての付加情報も共に受信することができる。広告される製品の明細、広告に登場する芸能人のプロフィール、または広告される会社の沿革などが付加情報に含まれうる。広告される製品の注文のための連絡先も付加情報に含まれうる。
【００３０】
ステップ２５２で、クライアント２２０は、ステップ２４８で受信したコンテンツに、ステップ２５０で受信した広告を挿入してコンテンツを再生する。コンテンツの再生開始前に広告を挿入してもよく、コンテンツの再生途中に広告を挿入してもよい。ステップ２４０で、クライアント２２０が選択した広告またはカテゴリー以外の広告も挿入できる。
【００３１】
ステップ２４６で広告を直接指定した場合には、指定された広告と同じカテゴリーに含まれている他の広告をコンテンツに挿入して再生できる。もし、ステップ２４６で、クライアント２２０が広告のカテゴリーのみを指定した場合には、指定されたカテゴリーと類似したカテゴリーに含まれている他の広告をコンテンツに挿入して再生させてもよい。
【００３２】
ステップ２５４で、クライアント２２０は、コンテンツの再生がいずれも終了した後に、ステップ２５２で再生されたコンテンツに挿入された広告のみを抽出して再び再生する。コンテンツの再生途中に広告内容に興味を持つクライアント２２０のユーザーがさらに広告を視聴を所望する場合、クライアント２２０は広告のみ抽出して再び再生できる。もし、ステップ２５０で、広告についての付加情報も受信した場合ならば、ステップ２５４で、広告のみを再生する時に付加情報も共にユーザーに提供できる。
【００３３】
図３は、本発明の一実施形態によるコンテンツを再生するクライアントを示したブロック図である。図３を参照するに、本発明によるクライアント２２０は、コンテンツインターフェース３０２、広告インターフェース３０４及び再生部３０６を備える。
【００３４】
コンテンツインターフェース３０２は、メディアサーバ２１０にコンテンツを要請し、要請に対する応答としてコンテンツを受信する。
【００３５】
広告インターフェース３０４は、コンテンツインターフェース３０２で受信したコンテンツに挿入できる広告についての情報を参照して、コンテンツに挿入する広告を選択する。広告サーバ２３０に再生しようとするコンテンツに挿入できる広告についての情報を要請し、要請に対する応答として受信した広告についての情報を参照して、コンテンツに挿入する広告を選択する。挿入する広告を直接指定する方式で選択が行われてもよく、挿入する広告のカテゴリーのみを指定する方式で選択が行われてもよい。カテゴリーについての内容は図２と関連して前述した。
【００３６】
コンテンツに挿入する広告が選択されれば、選択された広告を広告サーバ２３０に要請し、それに対する応答として広告を受信する。この時、広告についての付加情報も共に受信できるということは前述した。
【００３７】
再生部３０６は、コンテンツインターフェース３０２が受信したコンテンツに、広告インターフェース３０４が受信した広告を挿入してコンテンツを再生する。広告インターフェース３０２で、カテゴリーを指定して挿入する広告を選択した場合には、指定されたカテゴリーと類似したカテゴリーの広告もコンテンツに挿入して再生できる。
【００３８】
再生部３０６はまた、コンテンツの再生がいずれも終了した後に挿入された広告のみ抽出して別途に再生してもよい。コンテンツに含まれた広告をさらに視聴することを所望するユーザーがありうるので、この場合、広告のみを抽出して再び再生する。この場合、広告インターフェース３０４で受信した広告についての付加情報も共にユーザーに提供できるということは前述した。
【００３９】
図４は、本発明の一実施形態によるコンテンツの制作方法を説明するためのフローチャートである。図４は、第１クライアント４１０がコンテンツを制作し、制作されたコンテンツをメディアサーバ４３０にアップロードして、アップロードされたコンテンツを第２クライアント４４０が再生する場合を例として説明する。
【００４０】
ステップ４５２で、第１クライアント４１０は、第１クライアント４１０が制作するコンテンツに挿入できる広告についての情報を広告サーバ４２０に要請し、要請に対する応答として広告についての情報を受信する。第１クライアント４１０は、コンテンツに挿入できる広告の目録を広告サーバ４２０から受信することができる。
【００４１】
広告主が広告サーバ４２０にアップロードした広告の目録を、広告サーバ４２０から受信することができる。広告主が広告サーバ４２０に広告をアップロードする時に、広告を使用できるコンテンツのカテゴリーを既に指定しておいた場合には、該当カテゴリーのコンテンツのみ広告を挿入できる。この場合、第１クライアント４１０が制作する広告が、広告主が指定したカテゴリーに含まれていなければ、これらの広告主の広告を除外した広告の目録を第１クライアント４１０が受信する。
【００４２】
図４は、広告サーバ４２０からコンテンツに挿入できる広告についての情報を受信する場合を図示したが、第１クライアント４１０が広告についての情報を受信する方法には制限がなく、広告サーバ４２０ではないメディアサーバ４３０、または第３のさらに他のクライアントから広告についての情報を受信してもよい。
【００４３】
ステップ４５４で、第１クライアント４１０は、ステップ４５２で受信した広告についての情報を参照して、第１クライアント４１０が制作するコンテンツに挿入する広告を選択する。図２と関連して前述したように、広告目録から広告を直接指定する方式で挿入する広告を選択してもよく、挿入する広告のカテゴリーのみ指定する方式で挿入する広告を選択してもよい。
【００４４】
ステップ４５６で、第１クライアント４１０は、選択された広告についての情報を広告サーバ４２０に伝送する。第１クライアント４１０が制作するコンテンツがいかなるコンテンツであるか、コンテンツに挿入するために選択した広告がいかなる広告であるかを表すことができるマッピング情報を広告サーバ４２０に伝送する。
【００４５】
図５は、本発明の一実施形態による広告のマッピング情報を図示する。図５には、第１クライアント４１０が制作するコンテンツのコンテンツ識別子が“Ｃｏｎｔｅｎｔ  ＃１”であり、“Ｃｏｎｔｅｎｔ  ＃１”に挿入するために選択した広告は“ＡＤ  ＃１”、“ＡＤ  ＃２”及び“ＡＤ  ＃３”であることを表すマッピング情報が図示されている。選択的に広告が挿入されたコンテンツの位置を表す情報もマッピング情報に含めることができる。
【００４６】
再び図４を参照するに、図４は、ステップ４５６では、第１クライアント４１０が広告サーバ４２０にマッピング情報を伝送する場合のみを図示したが、第１クライアント４１０は、広告サーバ４２０ではないメディアサーバ４３０にマッピング情報を伝送してもよい。また、広告サーバ４２０及びメディアサーバ４３０にいずれもマッピング情報を伝送してもよい。マッピング情報を広告サーバ４２０とメディアサーバ４３０とが互いに共有して、第２クライアント４４０が適当なタイミングにメディアコンテンツと広告とを交互に受信可能にする。
【００４７】
ステップ４５８で、第１クライアント４１０は、制作したコンテンツをメディアサーバ４３０に伝送する。コンテンツ提供者またはサービス提供者が運営するメディアサーバ４３０にアップロードして、第２クライアント４４０がコンテンツを提供されて再生可能にする。
【００４８】
ステップ４６０で、第２クライアント４４０は、広告サーバ４２０に再生するコンテンツに挿入する広告を要請し、要請に対する応答として、第１クライアント４１０が、ステップ４５２及び４５４でコンテンツに挿入する広告として選択した広告を受信する。ステップ４６２で、第２クライアント４４０は、メディアサーバ４３０に第１クライアント４１０が制作したコンテンツを要請し、要請に対する応答としてコンテンツを受信する。
【００４９】
ステップ４６４で、第２クライアント４４０は、ステップ４６２で受信したコンテンツに、ステップ４６０で受信した広告を挿入して再生する。
【００５０】
図６は、本発明の一実施形態によるコンテンツを制作するクライアント及びコンテンツを再生するクライアントを示したブロック図である。図６を参照するに、本発明による第１クライアント４１０は、広告インターフェース６０２、コンテンツインターフェース６０４及びコンテンツデータベース６０６を備える。
【００５１】
広告インターフェース６０２は、制作するコンテンツに挿入できる広告についての情報を広告サーバ４２０に要請し、要請に対する応答として広告についての情報を受信する。コンテンツに挿入できる広告の目録を広告サーバ４２０から受信する。また、広告インターフェース６０２は、広告サーバ４２０から受信した情報に基づいて制作するコンテンツに挿入される広告を選択し、選択された広告についての情報を再び広告サーバ４２０に伝送する。
【００５２】
広告を挿入するコンテンツの識別子及び選択された広告についての情報が、マッピング情報として広告サーバ４２０に伝送されることは前述した。マッピング情報は、広告サーバ４２０ではないメディアサーバ４３０に伝送されてもよく、広告サーバ４２０及びメディアサーバ４３０にいずれも伝送されてもよい。
【００５３】
コンテンツインターフェース６０４は、コンテンツデータベース６０６に保存されている制作されたコンテンツをメディアサーバ４３０に伝送する。
【００５４】
本発明による第２クライアント４４０は、広告インターフェース６１２、コンテンツインターフェース６１４及び再生部６１６を備える。
【００５５】
広告インターフェース６１２は、広告サーバ４２０に再生しようとするコンテンツに挿入する広告を広告サーバ４２０に要請し、要請に対する応答として、第１クライアント４１０が選択した広告を受信する。コンテンツインターフェース６１２は、第１クライアント４１０が制作してメディアサーバ４３０にアップロードしたコンテンツを要請し、要請に対する応答として、メディアサーバ４３０からコンテンツを受信する。
【００５６】
再生部６１６は、コンテンツインターフェース６１４で受信したコンテンツに、広告インターフェース６１２で受信した広告を挿入してコンテンツを再生する。
【００５７】
以上のように、本発明はたとえ限定された実施形態と図面により説明されとしても、本発明が前記の実施形態に限定されるものではなく、これは当業者ならば、これらの記載から多様な修正及び変形が可能である。したがって、本発明の思想は特許請求の範囲のみによって把握されねばならず、これと均等または等価的な変形はいずれも本発明の思想の範ちゅうに属するといえる。また、本発明によるシステムは、コンピュータで読み取り可能な記録媒体にコンピュータで読み取り可能なコードとして具現することできる。コンピュータで読み取り可能な記録媒体は、コンピュータシステムによって読み取られるデータが保存されるあらゆる種類の記録装置を含む。記録媒体の例には、ＲＯＭ、ＲＡＭ、ＣＤ−ＲＯＭ、磁気テープ、フロッピー（登録商標）ディスク、光データ保存装置などがあり、またキャリアウェーブ（例えば、インターネットを通じる伝送）の形態で具現されるものも含む。またコンピュータで読み取り可能な記録媒体は、ネットワークに連結されたコンピュータシステムに分散されて、分散方式でコンピュータで読み取り可能なコードが保存されてその遂行が行われうる。
【図１】
2010534371.tif 000003
【図２】
2010534371.tif 000004
【図３】
2010534371.tif 000005
【図４】
2010534371.tif 000006
【図５】
2010534371.tif 000007
【図６】
2010534371.tif 000008
【国際調査報告】
2010534371.tif 000009
2010534371.tif 000010